(57)【要約】      （修正有）【課題】カバーに取り付けた後も容易に取り外すことができ、また取り外した後も再び取り付けることができ、しかもカバーを新しいものに替えることなくデザインを容易に変更することができる装飾具を提供する。【解決手段】装飾部３はアルファベット等をモチーフとした様々な形状を為しており、表側はガラスストーン等が施されている。装飾部３の裏側には円筒状の軸部の一端部が固定されており、他端部には軸部の周方向へ拡径された抜け止め部７が設けられている。また、抜け止め部７は弾性変形可能な合成樹脂等で形成されている。【選択図】図２
0003181588.tif 000002
【実用新案登録請求の範囲】
【請求項１】
表側を装飾面とする装飾部と、前記装飾部の裏側に一端部が固定された軸部と、前記軸部の他端側に固定された前記軸部の周方向へ拡径された抜け止め部とから成り、前記抜け止め部は弾性変形可能な材料によって構成されており、被取り付け部材の孔に前記抜け止め部の弾性変形を利用して取り付けられることを特徴とする装飾具。
【請求項２】
請求項１に記載した装飾具において、抜け止め部は携帯電話、携帯情報端末、スマートフォンのカバーに形成された孔に通して、軸部を抜け止め状態とするものであることを特徴とする装飾具。
【考案の詳細な説明】
【技術分野】
【０００１】
本考案は装飾具に係り、特に携帯電話、携帯情報端末、スマートフォン等のカバーに形成された孔に取り付ける装飾具に関するものである。
【背景技術】
【０００２】
スマートフォン等には、スマートフォンが傷つくことを防止するため、また使用者の好みに応じてデザイン性を持たせるため、多種の専用のカバーが市販されている。
一方、市販のカバーのデザインでは満足できず、自分の好みに合わせてスマートフォン等を装飾する「デコ電」が流行している。この装飾は、スマートフォンやカバーにペイントを施したり、ガラスストーンやキャラクター等のシールを貼りつけたりして自分の好みのデザインにデコレーションするものであり、例えば特許文献１に記載されるような専用のシールが多数販売されている。
【先行技術文献】
【特許文献】
【０００３】
【特許文献１】特開２００８−９４０７７号公報
【考案の概要】
【考案が解決しようとする課題】
【０００４】
しかしながら、上記従来のシールをスマートフォンやカバーに貼り付けると容易に剥がすことができず、また剥がしたシールを再度使用することができないという問題がある。
【０００５】
本考案は上記従来の問題に着目して為されたものであり、装飾具をカバーに取り付けた後も容易に取り外すことができ、また取り外した装飾具を再び取り付けることができる装飾具の提供を目的とする。
【課題を解決するための手段】
【０００６】
本考案は上記課題を解決するためになされたものであり、請求項１の発明は、表側を装飾面とする装飾部と、前記装飾部の裏側に一端部が固定された軸部と、前記軸部の他端側に固定された前記軸部の周方向へ拡径された抜け止め部とから成り、前記抜け止め部は弾性変形可能な材料によって構成されており、被取り付け部材の孔に前記抜け止め部の弾性変形を利用して取り付けられることを特徴とする装飾具である。
【０００７】
請求項２の発明は、請求項１に記載した装飾具において、抜け止め部は携帯電話、携帯情報端末、スマートフォンのカバーに形成された孔に通して、軸部を抜け止め状態とするものであることを特徴とする装飾具である。
【考案の効果】
【０００８】
本考案の装飾具では、カバーに取り付けた後も容易に取り外すことができ、また、取り外した装飾具を再度使用することができる。
【図面の簡単な説明】
【０００９】
【図１】本考案の実施の形態に係る装飾具の斜視図である。
【図２】図１の装飾具、カバー、スマートフォンの構成を説明するための斜視図である。
【図３】図２の装飾具とカバーをスマートフォンに取り付けた状態を説明するための斜視図である。
【図４】図１の装飾具をカバーに取り付ける方法を説明するための断面図である。
【図５】図１の装飾具をカバーから取り外す方法を説明するための断面図である。
【考案を実施するための形態】
【００１０】
本考案の実施の形態に係る装飾具１を図面にしたがって説明する。
符号３は装飾部を示し、この装飾部３はアルファベットやクローバー、星等をモチーフとした様々な形状を為しており、表側はガラスストーン等が施された装飾面となっている。
図４、５において、符号５は短寸法の円柱状を為す軸部を示し、この軸部５の一端部は装飾部３の裏面側の中心部分に固定されている。また、軸部５の他端部には軸部５の周方向へ拡径された抜け止め部７が固定されている。この抜け止め部７は弾性変形可能な合成樹脂等で形成され、その直径が後述するカバー１１の孔２３よりも大きく形成されている。
【００１１】
図２において、符号１１はスマートフォン９のカバーを示し、このカバー１１は弾性変形可能なシリコーン系の合成樹脂で構成されている。カバー１１はスマートフォン９の側面と背面を覆う箱形に形成されている。また、カバー１１にはスマートフォン９の電源スイッチや音量調節ボタン１３、カメラレンズ１９に対応して凸部１５、孔１７、孔２１が形成されている。さらにカバー１１には複数の孔２３が形成されている。
【００１２】
装飾具１の使用方法について説明する。
装飾具１をカバー１１の孔２３に取り付けるときは、抜け止め部７をやや傾けて、抜け止め部７の図４（ａ）において上半部をカバー１１の表面側から孔２３に押し込む。抜け止め部７は前述のとおり弾性変形可能な合成樹脂等で形成されているため、孔２３の直径寸法よりも抜け止め部７の直径寸法が大きくても、図４（ｂ）に示すように抜け止め部７が弾性変形し、抜け止め部７の上半部が孔２３に入り込む。同様に、抜け止め部７の図４（ｃ）において下半部も孔２３に押し込み、図４（ｄ）に示すように抜け止め部７をカバー１１の内面側にくるように嵌める。
そして、カバー１１をスマートフォン９の裏面側に装着する。
このように、抜け止め部７はカバー１１の孔２３よりも大きな直径寸法を有しているため、抜け止め部７を孔２３に通してカバー１１の内面側に備えることにより、軸部５が抜け止め状態とされる。これにより、装飾具１がカバー１１に取り付けられる。
【００１３】
装飾具１をカバー１１の孔２３から取り外すときは、スマートフォン９からカバー１１を外す。そして、カバー１１の表面側から、図５（ａ）において反時計回りの方向に装飾具１の下半部を引く。これにより抜け止め部７が弾性変形し、図５（ｂ）に示すように、抜け止め部７の下半部が孔２３から抜ける。これと同様に、抜け止め部７の図５（ｃ）において上半部も孔２３から同図において時計回りに引いて抜け止め部７を弾性変形させ孔２３から抜き、装飾具１をカバー１１から外す。
以上のように、装飾具１はカバー１１に対して簡単に取り付け、取り外し可能である。
また、取り外した装飾具１は再びカバー１１に取り付けることができるので、カバーを新しいものに買い替えることなくデザインを自由に変更することができる。
【００１４】
以上、本考案の実施の形態について詳述してきたが、具体的構成は、この実施の形態に限られるものではなく、本考案の要旨を逸脱しない範囲における設計の変更などがあっても考案に含まれる。
例えば、装飾部の形や大きさはどのようなものでもよく、例えば花等をモチーフとしたものでもよい。また、装飾部にチャームやストラップ等を繋げるためのリングを付けてもよい。
上記実施の形態では、カバー１１は弾性変形可能なシリコーン系合成樹脂で構成したが、これに限定されず、他の種類の合成樹脂製や木製、金属製等のカバーを使用してもよい。
また、これらの装飾具はスマートフォンだけでなく、携帯電話、携帯情報端末等のカバーに装着してもよい。
【産業上の利用可能性】
【００１５】
携帯電話、携帯情報端末、スマートフォン等の、カバーやアクセサリーの製造業に利用可能性を有する。
【符号の説明】
【００１６】
１…装飾具                        ３…装飾部
５…軸部                          ７…抜け止め部
９…スマートフォン              １１…カバー
１３…音量調節ボタン              １５…凸部
１７…孔                          １９…カメラレンズ
２１…孔                          ２３…孔
【図１】
0003181588.tif 000003
【図２】
0003181588.tif 000004
【図３】
0003181588.tif 000005
【図４】
0003181588.tif 000006
【図５】
0003181588.tif 000007